(57)【要約】本発明は、ハニカム体（１４）の複数の薄板金属層（１、２、３、４）と接続ピン（１２）の電気的接続に関する。ハニカム体（１８）は、内周（Ｉ）を有する金属ケーシング（７）を備え、接続ピン（１２）は、ブッシング（１０）の中で電気的に絶縁されるように金属ケーシング（７）を貫通する。薄板金属層（１、２、３、４）は、粗く構造化された薄板金属層（２）と細かく構造化された又は平滑な薄板金属層（１）が交互に配置され、それらは一緒に最上部の薄板金属層（３）と最下部の薄板金属層（４）を有する積層体（５）を形成し、その積層体は、気体が薄板金属層（１、２、３、４）の間を軸方向（Ａ）に流れることができる流路（１５）を有する。本発明は、接続ピン（１２）が薄板金属層（１、２、３、４）と略垂直に、即ち半径方向（Ｒ）に延び、少なくとも一つの媒介要素（１３）を介して、少なくとも２つの、好ましくはすべての薄板金属層（１、２、３、４）に金属的に接続されることを特徴とする。好ましくは、積層体（５）の最上部の薄板金属層（３）は、金属ケーシング（７）と略平行に、内周（Ｉ）の少なくとも３５％を超えて延び、金属ケーシング（７）から空隙（８）のみによって分離される。本発明は、運用上安全で、非常に均一に電気的に加熱することのできるハニカム体（１４）の単純な生産を可能にする。【選択図】図２
2015520820.tif 000002
【特許請求の範囲】
【請求項１】
ハニカム体（１４）の複数の薄板金属層（１、２、３、４）と接続ピン（１２）の電気的接続であって、前記ハニカム体（１８）は、内周（Ｉ）を有する金属ケーシング（７）を備え、前記接続ピン（１２）は、ブッシング（１０）の中で電気的に絶縁された状態で前記金属ケーシング（７）を貫通し、前記薄板金属層（１、２、３、４）は、粗く構造化された薄板金属層（２）と細かく構造化された又は平滑な薄板金属層（１）が交互に配置され、前記薄板金属層は一緒に、最上部の薄板金属層（３）と最下部の薄板金属層（４）を有する積層体（５）を形成し、前記積層体は、気体が前記薄板金属層（１、２、３、４）の間を軸方向（Ａ）に入口側（１４）から出口側（１５）に流れることができる流路（９）を有し、前記接続ピン（１２）は、前記薄板金属層（１、２、３、４）と垂直に、即ち半径方向（Ｒ）に延び、接続領域（６）において前記積層体（５）の複数の薄板金属層（１、３、４）を取り囲む少なくとも一つの電気伝導性の媒介要素（１３）によって、少なくとも２つの薄板金属層（１、２、３、４）に、金属を用いて接続されることを特徴とする電気的接続。
【請求項２】
前記積層体（５）の前記最上部の薄板金属層（３）は、前記金属ケーシング（７）と平行に、前記内周（Ｉ）の少なくとも３５％を超えて延び、前記金属ケーシングから空隙（８）のみによって分離されることを特徴とする請求項１に記載の電気的接続。
【請求項３】
前記積層体（５）の前記最上部の薄板金属層（３）は、前記金属ケーシング（７）と平行に、前記内周（Ｉ）の長さの少なくとも４０％を超えて延びることを特徴とする請求項１又は２に記載の電気的接続。
【請求項４】
前記積層体（５）の前記最上部の薄板金属層（３）は、細かく構造化されているか又は平滑であることを特徴とする請求項１から３のいずれか一項に記載の電気的接続。
【請求項５】
少なくとも前記最上部の薄板金属層（３）又は前記最下部の薄板金属層（４）は、少なくとも部分領域において、厚くなった部分を有するか又は前記積層体（５）のさらなる薄板金属層（１、２）よりも厚いことを特徴とする請求項１から４のいずれか一項に記載の電気的接続。
【請求項６】
前記粗く構造化された薄板金属層（２）と前記細かく構造化された薄板金属層（１、３、４）は、それぞれ波形に形成され、前記粗く構造化された薄板金属層（２）の第２の波形高さ（Ｈ２）は、前記細かく構造化された薄板金属層（１、３、４）の第１の波形高さ（Ｈ１）よりも大きいことを特徴とする請求項１から５のいずれか一項に記載の電気的接続。
【請求項７】
前記粗く構造化された薄板金属層（２）と前記細かく構造化された薄板金属層（１、３、４）は、波形に形成され、前記粗く構造化された薄板金属層（２）の第２の波形長さ（Ｌ２）は、前記細かく構造化された薄板金属層（１、３、４）の第１の波形長さ（Ｌ１）よりも大きいことを特徴とする請求項１から６のいずれか一項に記載の電気的接続。
【請求項８】
前記積層体（５）の形状が、多数の支持ピン（１７）によって安定化され、少なくとも一つの支持ピン（１７）が、前記積層体（５）の外形に沿って測定したときに、前記接続ピン（１２）から１０ｃｍ以下の距離に配置されることを特徴とする請求項１から７のいずれか一項に記載の電気的接続。
【請求項９】
前記媒介要素（１３）は、少なくとも前記積層体（５）の前記入口側（１４）又は前記出口側（１５）まで延び、少なくとも前記入口側（１４）又は前記出口側（１５）を少なくとも部分的に取り囲むことを特徴とする請求項１から８のいずれか一項に記載の電気的接続。
【請求項１０】
前記媒介要素（１３）は、前記積層体（５）の端部（１６）の周りで、前記積層体（５）を取り囲むことを特徴とする請求項１から９のいずれか一項に記載の電気的接続。
【請求項１１】
前記媒介要素（１３）の形状は、少なくとも前記積層体（５）の端部（１６）の横断面（１９）の形状又は縦断面（２０）の形状と一致することを特徴とする請求項１から１０のいずれか一項に記載の電気的接続。
【請求項１２】
前記媒介要素（１３）は、前記薄板金属層が少なくとも前記入口側（１４）又は前記出口側（１５）で前記媒介要素（１３）と突き当たることによって、前記積層体（５）の複数の又はすべての薄板金属層と直接接触することを特徴とする請求項１から１１のいずれか一項に記載の電気的接続。
【請求項１３】
前記媒介要素（１３）の領域における前記積層体（５）の横断面（１９）は、前記積層体（５）の残りの外形と同じ形状及び同じ大きさを有することを特徴とする請求項１から１２のいずれか一項に記載の電気的接続。
【請求項１４】
前記積層体（５）の端部（１６）は、前記媒介要素（１３）の外でテーパー状となっていることを特徴とする請求項１から１３のいずれか一項に記載の電気的接続。
【請求項１５】
請求項１から１４のいずれか一項に記載の電気的接続を有するハニカム体（１４）。
【発明の詳細な説明】
【技術分野】
【０００１】
本発明は、好ましくは自動車内の、特に内燃機関の排ガス処理システムのための、電気的に加熱可能なハニカム体の分野に関する。電気的に加熱可能なハニカム体は、例えば、排ガス清浄システム内の構成要素を加熱し、その結果、特定の化学反応、特にまた触媒的に活性化された反応のために、必要な特定の最低温度に到達するため、又は維持するために必要とされる。これは、例えば、排ガス触媒コンバーター、粒子フィルター、及び／又は亜酸化窒素を還元するためのシステムで用いられる。
【背景技術】
【０００２】
この種の電気的に加熱可能なハニカム体の代表的な構造は、例えば、引用文献１に記載されている。引用文献２もまた、電気的に加熱可能なハニカム体の構造を開示している。これら両方の文献は、この種の電気的に加熱可能なハニカム体が、（電気的に絶縁されたやり方で）隣接するハニカム体に支持されることを可能にする。
【０００３】
電気的加熱のために十分高いオーム抵抗を与えることができるように、この種の電気的に加熱可能なハニカム体は、軸方向に気体が流れることができる流路を形成するように構成された複数の薄板金属層の、少なくとも一つの積層体を備える。一般的に、この目的のため、粗く構造化された金属薄板と細かく構造化された及び／又は平滑な金属薄板が、交互に重ねて積層される。積層体は、Ｓ字状、Ｕ字状等になるよう反対方向にループ状に巻かれているため、上記の積層体は円形又は楕円形の断面を満たすように形成され、積層体の隣接する曲がった部分は、互いに電気的に絶縁されなければならない。この絶縁は、絶縁層及び／又は電気的に絶縁する空隙によって達成することができ、作動中の金属薄板／積層体の激しい熱膨張の場合に空隙は、支持ピンによって隣接するハニカム体に固定され、その結果それらの位置に固定された積層体の曲がった部分によって安定化することができる。このように、比較的短い電気的に加熱可能なハニカム体、例えば、軸方向の伸びが１から５センチしかないハニカム体を安定化することも可能である。
【０００４】
電気的に加熱可能なハニカム体の安定性及び／又は電気的特性のために、電気的に加熱可能なハニカム体を、交互になっている粗く構造化された薄板金属層と細かく構造化された薄板金属層から、特に（小さい第１の波形高さと小さい第１の波形長さの）細かい第１の波形を有する薄板金属層と（大きい第２の波形高さ及び／又は大きい第２の波形長さの第２の波形を有する）第２の粗い構造を持つ薄板金属層から構成することが有利であることが分かっている。積層体内の薄板金属層は、好ましくは、いくつかの（選択された）又はすべての接触ポイントで互いにろう付けされるか、又は拡散接続によって互いに固定される。
【先行技術文献】
【特許文献】
【０００５】
【特許文献１】国際公開第９６／１０１２７号
【特許文献２】欧州特許出願公開第１９６７７１２号明細書
【発明の概要】
【発明が解決しようとする課題】
【０００６】
しかし、積層体の外部電流源への電気的接続は、技術的問題を引き起こす。ループ状に巻かれた電気伝導性の積層体を金属ケーシング管の内部に配置する必要があるため、積層体への少なくとも一つの電流供給ラインが必要とされ、上記の電流供給ラインは、ケーシング管から電気的に絶縁される。一般的にそのような高い強度の電流が積層体に流されることが意図されるため、電流を積層体の個々の薄板金属層の間に、接触している領域でもできるだけ均一に分配することが望ましく、損傷を防止するためにそうすることも必要となる。
【０００７】
従って、従来技術において知られている実施形態は、一般的に、積層体の個々の薄板金属層が終端する電流分配構造を含み、電気的に絶縁された状態でハニカム体の金属ケーシングを通る接続ピンが、同様に電流分配構造と接触する。上記の構造において一般的な電流分配構造は、金属ケーシングに平行に延びる一種の半殻構造であり、そこで個々の薄板金属層が終端し、金属を用いて、特にろう付けされて接続される。この電流分配構造は、同様に、絶縁層によってハニカム体の金属ケーシングから電気的に絶縁されなければならない。これは、空隙によって実現することができるが、この目的のため、電流分配構造が同様にその位置に安定化される必要がある。これは、好ましくは、追加の支持ピンによって行われ、この場合、支持される電流分配構造はまた、電気的に絶縁されることが常に確保される必要がある。
【０００８】
電気的に接触する問題は、電気的に加熱可能なハニカム体において、少なくとも積層体の一方の側で、特に積層体の他方の側が金属ケーシングに直接接続されることができるか／直接接続されることが意図されるときに起きる。積層体の両方の端部が、（電気的）グランドに接続されることが意図されない場合には、積層体の両方の端部が、対応するやり方でまた接触する必要がある。
【０００９】
本発明の目的は、従来技術に関して浮き彫りとなった問題を少なくとも部分的に解決することである。その目的は、特にハニカム体の複数の薄板金属層と接続ピンの電気的接続を提供することである。この接続は、単純で費用効率の高いやり方で確立され、主に金属ケーシングと平行な電流分配構造を回避し、それにもかかわらず電流の均一な分配と電気的に加熱可能なハニカム体の安定な構造を可能にする。
【課題を解決するための手段】
【００１０】
請求項１の特徴に従う電気的接続は、上記の目的を達成するのに役立つ。有利な実施形態が従属項において記述され、それらの有利な実施形態は技術的に意味のあるやり方で互いに組み合わせることができる。明細書は、特に図面と一緒に、請求項に記述された特徴を説明及び定義し、さらなる有利な実施形態を特定する。また、本発明に従う電気的接続を有するハニカム体が提供される。
【００１１】
従って、ハニカム体の複数の薄板金属層と接続ピンの電気的接続が提案される。ハニカム体は内周を有する金属ケーシングを備え、接続ピンは、ブッシングの中で電気的に絶縁された状態で金属ケーシングを貫通する。さらに、薄板金属層が、粗く構造化された薄板金属層と細かく構造化された又は平滑な薄板金属層が交互に配置されるように提供され、その薄板金属層は一緒に、最上部の薄板金属層と最下部の薄板金属層を有する積層体を形成し、その積層体は、気体が薄板金属層の間を軸方向に入口側から出口側に流れることができる流路を有する。さらに、接続ピンは、薄板金属層と（略）垂直に、即ち半径方向に延び、積層体の複数の薄板金属層を取り囲む少なくとも一つの電気伝導性の媒介要素によって、少なくとも２つの薄板金属層、好ましくは少なくとも半分の薄板金属層、特にすべての薄板金属層に、金属を用いて接続される。
【００１２】
比較的太い接続ピンを複数の比較的薄い薄板金属層（これらはまた、追加的にさらに構造化することができる）に接続することは困難に見えるが、（少なくとも部分的に）上記の薄板金属層を取り囲む媒介要素によって、重ねて配置され、及び／又は一緒に締め付けられた２つ以上の薄板金属層を接続することは、可能なだけではなく、非常に安定した状態で積層体を保持することに繋がることが分かっている。これはまた、同様に、半殻構造や電流分配構造のような追加の安定化構造の必要なしで、積層体と金属ケーシングの間に空隙が安定した状態で形成されることを可能にする。
【００１３】
媒介要素は、接続ピンと、接触している薄板金属層との両方に（直接）電気的に接触する。媒介要素は、特に、一体成型された金属薄板である。媒介要素が、外側で接続ピンと電気的に接触し、内側で薄板金属層と電気的に接触する留め具（クリップ）のように設計されると、さらに好ましい。特に、媒介要素が２つの面で、好ましくは３つの面（外側、内側、前端、後端、積層体の円周の末端側）で積層体に寄り掛かったときに、「取り囲み」が生じる。
【００１４】
好ましい実施形態では、積層体の最上部の薄板金属層は、金属ケーシングと（略）平行に、上記の内周の長さの少なくとも３５％、好ましくは少なくとも４０％を超えて延び、上記の金属ケーシングから空隙のみによって分離される。ハニカム体を端部から軸方向に見て、円周方向に３６０°（角度）に分割したときに、最上部の薄板金属層（半径方向外側の最も遠くに位置する薄板金属層）は、従って好ましくは、接続領域の正確な形状とハニカム体の内部の積層体の外形に応じて、金属ケーシングと平行に最大で１８０°から少なくとも（約）１４４°の角度範囲に亘って延びる。
【００１５】
さらに好ましい実施形態では、積層体の最上部の薄板金属層は、及び好ましくは最下部の薄板金属層は、細かく構造化された薄板金属層又は平滑な薄板金属層である。これは、積層体の最上部の薄板金属層と最下部の薄板金属層が、好ましくは金属を用いて媒介要素と接続されるため、特に有利である。その結果、残りの薄板金属層が実質的に取り囲まれ、それら自体が媒介要素に接続できなかった場合でも、それらの端部が動くことができず、従っていかなる電気的短絡も起こす可能性がない。
【００１６】
最上部の及び／又は最下部の薄板金属層の機能は、その一方又は両方が、少なくとも部分領域において、厚くなった部分を有するか、及び／又は積層体のさらなる又は残りの薄板金属層より厚くすることにより支援できる。特に、より厚い部分領域は、さらなる薄板金属層又は残りの薄板金属層が例えば２０から６０μｍ（マイクロメートル）の厚さを有するのに対し、８０から２００μｍ（マイクロメートル）、特に好ましくは１１０から１７０μｍの薄板金属厚さを有することができる。より大きな厚さは、所望の部分領域により厚い金属薄板を用いることにより、及び／又は問題の部分領域の最上部又は最下部の薄板金属層を、重ねて配置され、一緒に構成された複数の、例えば２つ又は３つの薄板金属層から構成することにより達成することができる。
【００１７】
この場合、最下部の薄板金属層は、少なくとも接続領域において、積層体の一部に沿って厚くなった部分を有するか、及び／又は残りの薄板金属層よりも厚くすることができる。外側の２つの薄板金属層をより厚くすることは、特に抵抗溶接又はろう付けの方法が用いられるときに、金属を用いた媒介要素への接続を単純化する。
【００１８】
少なくとも最上部の薄板金属層は、好ましくは、ニッケル、クロム及び鉄を含有する鋼鉄（ＮｉＣｒｏＦｅｒという名前でも知られる）から構成される。この材料の機械的及び電気的特性、特に優れた電気伝導性と高温耐食性は、最上部の薄板金属層からくる要求に、それを特に適したものとする。
【００１９】
積層体における均一な電流分配を達成するために、すべての薄板金属層が媒介要素に接続されることが特に好ましく、この目的のため、薄板金属層は、既存の構造を平滑にするために圧縮されるか、及び／又は媒介要素によって変わらない形状で取り囲まれる。
【００２０】
実際に、粗く構造化された薄板金属層と細かく構造化された薄板金属層が、それぞれ波形に形成され、粗く構造化された金属薄板の第２の波形高さが、細かく構造化された金属薄板の第１の波形高さよりも、特に３倍から１０倍、好ましくは４倍から６倍大きいときに、特に安定した構造が作成されることが実験により示されている。この種の構造は、様々な観点から有利であることが分かっている。支持ピンの組み込みは、すべての薄板金属層がある程度の弾力性を持つことによって単純化され、これは媒介要素への電気伝導性の接続にほとんど影響を及ぼさない。
【００２１】
積層体のすべての薄板金属層に対して波形に形成された／構造化された薄板金属層が用いられたときに、粗く構造化された薄板金属層が、細かく構造化された薄板金属層の第１の波形長さよりも、特に、例えば少なくとも１．５倍大きい第２の波形長さを有すると有利である。粗く構造化された薄板金属層と細かく構造化された薄板金属層の波形高さ及び波形長さを選択する際には、技術的に賢明な限度に従う必要がある。特に、比率と波形の形状は、被覆の間に閉塞される可能性のある非常に小さな断面を有する流路が出来る限りできないように選択される。
【００２２】
媒介要素は、好ましくは、金属を用いて、例えば積層体の２つから５つの薄板金属層に、少なくとも１０ｍｍ２（平方ミリメートル）の面積に亘って接続され、媒介要素は、金属ケーシングの内周から、例えば３から８ｍｍ（ミリメートル）、好ましくは４から６ミリメートルだけ間隔を空けて配置される。このようにして、電気的接続が、積層体に必要な電流を均一に導入することができ、それと同時に、空隙によって積層体と金属ケーシングの間の電気的絶縁が確保されるように、上記の積層体を金属ケーシングから十分な距離で安定化することができる。
【００２３】
また、このハニカム体にとって好ましい形状は、Ｓ字状に反対方向に巻かれた積層体のループであるが、積層体の曲がった部分は、空隙によって互いに電気的に絶縁されている。この実施形態は、それ自体は知られているが、温度の激しい変化の際に起きる薄板金属層の機械的な動きのため、今まで半殻形状の電流分配構造なしでは構成することができなかった。これは、この文書で提案される媒介要素によってのみ可能となる。
【００２４】
この場合、特に積層体の最上部の薄板金属層が特有の機能を有する。Ｓ字状の構造の場合、上記の最上部の薄板金属層は、絶縁する空隙と金属ケーシングの境界を、実質的に上記の内周の半分を超えて形成し、上記の最上部の薄板金属層は、媒介要素との電気的接続を確立する役目を果たし、内部の薄板金属層の境界となる。最上部の薄板金属層が厚くなった部分を有するか、又は他の薄板金属層より厚い場合、これが積層体の長さの一部に亘る場合のみ、好ましくは、概ねハニカム体の中心までの場合のみ有利であることが証明されている。積層体のこの部分領域において、最上部の薄板金属層は、同時に積層体内に電流を分配する役目を果たすことができることも分かっている。電流は、常に最短の経路及びその最も低い抵抗のものを探すため、積層体の内部領域に流れる傾向にあり、これは、より厚い最上部の薄板金属層によって相殺される。しかし、ハニカム体の中心領域では、積層体が反対方向にループ状に巻かれているため、最上部の薄板金属層が最下部の薄板金属層となる。従って、上記の薄板金属層が遅くともそこで終端するようにするか、又はより薄い層がそこから続くようにするのが有利である。これは、例えば、ループが方向を変えるポイントの一つで行うことができる。
【００２５】
接続領域を安定化させるため、多数の支持ピンによって積層体の形状を安定化するのが特に好ましく、少なくとも一つの支持ピンが、積層体の外形に沿って測定したときに、接続ピンから１０ｃｍ（センチメートル）以下の距離に、好ましくは５ｃｍ以下の距離に、特に好ましくは２ｃｍ以下の距離に配置される。この配置は、特に、金属ケーシングに対して空隙を安定化させる役目を果たす。同様の距離にある少なくとも一つのさらなる支持ピンを、媒介要素から突出した積層体の端部を安定に保つために、設けることができる。
【００２６】
本発明の特に非常に好ましい実施形態では、媒介要素が、少なくとも積層体の入口側及び／又は出口側の範囲まで延び、入口側と出口側の少なくとも一つを少なくとも部分的に取り囲む。結果として、少なくともいくつかの流路が閉塞されるか又は覆われるが、閉塞される又は覆われる流路の数は、ハニカム体の流路の総数に対して無視できる。しかし、その代り、薄板金属層に接触する能力が改善され、もはや媒介要素の領域における積層体の断面を変形する必要がない。媒介要素は、積層体の少なくとも一部の周りで一種の留め具（クリップ）を形成し、その過程で、部分的に（平行に）入口側の前と、及び／又は（平行に）出口側の後ろに延び、そこには十分な空間がある。
【００２７】
代替として又は追加として、媒介要素は、積層体を端部（円周の末端側）で取り囲むことができる。媒介要素の形状は、好ましくは、積層体の端部の横断面の形状及び／又は縦断面の形状と一致する。
【００２８】
この場合、媒介要素は、好ましくは、入口側及び／又は出口側で上記の薄板金属層が媒介要素と突き当たることによって、特に上記の媒介要素とろう付けされることによって、積層体の複数の又はすべての薄板金属層と直接接触する。
【００２９】
好ましい実施形態では、媒介要素の領域における積層体の横断面は、積層体の残りの外形と（実質的に）同じ形状及び同じ大きさ、特に長方形の形状を有する。
【００３０】
この場合、積層体の端部は、ハニカム体の残りの部分の形状とよく一致するように、媒介要素の外でテーパー状となり、特に湾曲したくさびの形状で延びることができる。媒介要素を越えて突出した積層体の端部は、作動中に、接続領域の追加の冷却をもたらす。
【００３１】
本発明は、また、ここに記載された電気的接続を有する電気的に加熱可能なハニカム体に関する。電気的接続の発明に従う実装は、単純化された構造と費用効率の高い生産を可能にし、これは特に、自動車部門における連続生産にとって重要である。
【００３２】
本発明は、特に、内燃機関と、排ガスシステムと一体化された電気的に加熱可能なハニカム体とを有する自動車で使用される。
【００３３】
本発明の技術分野、さらなる詳細及び例示的実施形態（しかし、本発明は、これらに限定されない）が、（概略的な）図面に図示される。
【図面の簡単な説明】
【００３４】
【図１】図１は、電気的に加熱可能なハニカム体の電気的接続の領域を通る概略断面図を示す。
【図２】図２は、薄板金属層を横方向に取り囲む媒介要素の実施形態を示す。
【図３】図３は、一端から見た媒介要素との電気的接続のさらなる例示的実施形態を示す。
【図４】図４は、媒介要素を有する接続ピンの特定の実施形態を示す。
【図５】図５は、構造化された薄板金属層の概略図である。
【発明を実施するための形態】
【００３５】
図１は、金属ケーシング７内に配置された電気的に加熱可能なハニカム体１８の部分領域の概略図である。ハニカム体１８は、波形に形成された又は粗く構造化された薄板金属層２と交互に配置された平滑な又は細かく構造化された薄板金属層１を備える積層体５を含む。積層体５は、最上部の薄板金属層３と最下部の薄板金属層４を有し、これらの薄板金属層は、この例示的実施形態において、両方とも細かく構造化されている。少なくともいくつかの薄板金属層１、２、３、４は、媒介要素１３で終端し、それらは電気伝導的に媒介要素１３に接続され、媒介要素１３は電気伝導的に接続ピン１２に接続されている。可能な接続技術は、例えば、抵抗溶接及び／又は硬ろう付けを含む。接続ピン１２は、ブッシング１０を通って金属ケーシング７を貫通し、電気的絶縁層１１によって上記の金属ケーシングから絶縁される。接続ピン１２は、矢印で示された半径方向Ｒに延びる。粗く及び細かく構造化された薄板金属層は、一緒になって、同様に矢印で示された軸方向Ａに延びる流路を形成する。金属ケーシング７は、同様に矢印で示された内周Ｉを有する。少なくとも最上部の薄板金属層３と最下部の薄板金属層４、及びまた好ましくは、さらなる薄板金属層１、２が、電気伝導的に媒介要素１３に接続され、上記の媒介要素によって、接続ピン１２に接続される。積層体５は、隣接するさらなるハニカム体（ここでは図示せず）に支持される可能性がある支持ピン１７によって安定化される。また、媒介要素１３が、積層体５の端部１６を取り囲む方法が示されており、そのとき媒介要素の内部形状は積層体の端部１６の縦断面２０と一致しており、逆に言うと、例えば、湾曲したくさびの形状をしている。
【００３６】
図２は、薄板金属層１、２、３、４の積層体５が、媒介要素１３によってどのように横方向に取り囲まれるかを概略的に示す。この場合、媒介要素１３は、留め具（この場合、概ね長方形の内部断面を有する留め具（クリップ））の形状であり、最上部の薄板金属層３と最下部の薄板金属層４と直接接触し、また残りの薄板金属層１、２の端部と入口側１４で直接接触する。このようにして、積層体５の変形なしで電流を均一に導入することができる。
【００３７】
図３は、別の実施形態において、積層体５の接続領域６が、細かく構造化された薄板金属層１と粗く構造化された薄板金属層２から構成される方法を概略的に示す。接続ピン１２は、電気的絶縁層１１によって、金属ケーシング（図示せず）を貫通するブッシング１０から同様に絶縁され、媒介要素９に対して接続側１５で終端する。接続ピン１２は、好ましくは溶接又はろう付けされて、上記の媒介要素と電気伝導的に接続され、場合によっては上記の媒介要素の下に位置する薄板金属層１、２の端部と電気伝導的に接続される。この例示的な実施形態では、媒介要素９が、接続領域６において積層体５の端部を取り囲むが、上記の方法と同様に、様々な実施形態において、接続領域６の精密な構造が可能である。すべての薄板金属層を、好ましくは、一緒により強く圧縮することができ、又は所望のテーパー形状を得るために、より小さい波形高さを有するように設計することができる。支持ピン１７は、同様に、全体の配置を安定化することができる。
【００３８】
図４は、媒介要素１３を有する接続ピン１２の発明に従う実施形態を、斜視図で概略的に示し、媒介要素によって取り囲まれることができる積層体５（図示せず）の横断面１９がハッチングで示されている。同様の方法で、媒介要素はまた、図１に示されているように、積層体５の端部１６を取り囲むことができ、そのとき媒介要素の内部形状は、積層体の端部１６の縦断面２０と一致し、例えば、湾曲したくさびの形状をしている。
【００３９】
図５は、薄板金属層１、２、３、４の構造と波形の相対的な大きさを示す。積層体の細かく構造化された薄板金属層１は、第１の波形高さＨ１及び第１の波形長さＬ１の第１の波形を有し、これらは、（この場合）それぞれ粗く構造化された薄板金属層２の第２の波形の第２の波形高さＨ２及び第２の波形長さＬ２よりも小さい。最上部の薄板金属層３はさらに、積層体５の残りの薄板金属層１、２よりも大きい厚さＴを有することができる。
【００４０】
念のために、図面に示された技術的特徴の組み合わせは、一般的に拘束力がないことにも留意すべきである。例えば、一つの図面からの技術的特徴は、さらなる図面及び／又は全般的な記載からの他の技術的特徴と組み合わせてもよい。これの唯一の例外は、特徴の組み合わせがここで明示的に言及されているか、及び／又は当業者が、装置の基本的機能がもはや別のやり方で実現できないと確認した場合である。
【００４１】
本発明は、非常に均一な電流分配を可能にし、従って電流分配構造又は外側領域で支持を行う半殻構造なしでも加熱を可能にする電気的に加熱可能なハニカム体の単純な構造を可能にし、その構造は費用効率の高い方法で製造することができる。
【符号の説明】
【００４２】
１  平滑な／細かく構造化された薄板金属層
２  波形に形成された／粗く構造化された薄板金属層
３  最上部の薄板金属層
４  最下部の薄板金属層
５  積層体
６  接続領域
７  金属ケーシング
８  空隙
９  流路
１０  ブッシング
１１  電気的絶縁層
１２  接続ピン
１３  電気伝導接続
１４  入口側
１５  出口側
１６  積層体の端部
１７  支持ピン
１８  ハニカム体
１９  積層体の横断面
２０  積層体の端部の縦断面
Ａ    軸方向
Ｒ    半径方向
Ｉ    金属ケーシングの内周の方向
Ｈ１  第１の波形高さ
Ｈ２  第２の波形高さ
Ｌ１  第１の波形長さ
Ｌ２  第２の波形長さ
Ｔ    厚さ
【図１】
2015520820.tif 000003
【図２】
2015520820.tif 000004
【図３】
2015520820.tif 000005
【図４】
2015520820.tif 000006
【図５】
2015520820.tif 000007
【国際調査報告】
2015520820.tif 000008
2015520820.tif 000009
2015520820.tif 000010
2015520820.tif 000011